(57)【要約】      （修正有）【課題】腕時計ケースに取り付けることができる電子ストラップを提供する。【解決手段】プリント回路ボード上に配置される挿入体ＩＳと、光波エミッターＥＭとを有する計時器用の電子ストラップであって、挿入体ＩＳは、腕時計ケースＢＭのホーンの対ＣＮ１、ＣＮ２の間に配置され固定されるガイド要素ＧＤ１を有し、ガイド要素ＧＤ１は、光波ガイドＧＯを有し、光波ガイドＧＯは、ガイド要素ＧＤ１とプリント回路ボードの間の境界領域に配置された入力ＥＮと、ガイド要素ＧＤ１がホーンの対ＣＮ１、ＣＮ２の間に配置されており固定されているときに、腕時計ケースＢＭにおける２つのホーンＣＮ１、ＣＮ２の間にある第１の領域ＺＮ１に対向するように配置されている第１の出力ＳＯ１と、及び入力ＥＮを第１の出力ＳＯ１に接続する第１の部分ＰＯ１とを有し、光波エミッターＥＭは、光波ガイドＧＯの入力ＥＮのレベルにてプリント回路ボード上に設置される。【選択図】図３
2018066737.tif 000002
【特許請求の範囲】
【請求項１】
プリント回路ボード（ＦＬ）と、
前記プリント回路ボード（ＦＬ）上に配置される挿入体（ＩＳ）と、
光波エミッター（ＥＭ）と
を有する計時器用の電子ストラップ（ＢＲ）であって、
前記挿入体（ＩＳ）は、腕時計ケース（ＢＭ）のホーンの対（ＣＮ１、ＣＮ２）の間に配置され固定されるガイド要素（ＥＧ１）を有し、
前記ガイド要素（ＥＧ１）は、光波ガイド（ＧＯ）を有し、
前記光波ガイド（ＧＯ）は、
前記ガイド要素（ＧＤ１）と前記プリント回路ボード（ＦＬ）の間の境界領域に配置された入力（ＥＮ）と、
前記ガイド要素（ＧＤ１）が前記ホーンの対（ＣＮ１、ＣＮ２）の間に配置されており固定されているときに、前記腕時計ケース（ＢＭ）における２つのホーン（ＣＮ１、ＣＮ２）の間にある第１の領域（ＺＮ１）に対向するように配置されている第１の出力（ＳＯ１）と、及び
前記入力（ＥＮ）を前記第１の出力（ＳＯ１）に接続する第１の部分（ＰＯ１）と
を有し、
前記光波エミッター（ＥＭ）は、前記光波ガイド（ＧＯ）の入力（ＥＮ）のレベルにて前記プリント回路ボード（ＦＬ）上に設置される
を有することを特徴とするストラップ（ＢＲ）。
【請求項２】
前記光波ガイド（ＧＯ）は、前記ガイド要素（ＧＤ１）が前記ホーンの対（ＣＮ１、ＣＮ２）の間に配置され固定されているときに前記腕時計ケースにおける２つのホーン（ＣＮ１、ＣＮ２）の間の第２の領域（ＺＮ２）に対向するように配置される第２の出力（ＳＯ２）と、及び前記入力（ＥＮ）を前記第２の出力（ＳＯ２）に接続する第２の部分（ＰＯ２）とを有する
ことを特徴とする請求項１に記載のストラップ（ＢＲ）。
【請求項３】
前記第１の出力（ＳＯ１）及び前記第２の出力（ＳＯ２）は、前記第１の領域（ＺＮ１）が前記ホーンの一方のホーン（ＣＮ１）の側に位置し、前記第２の領域（ＺＮ２）が前記ホーンの他方のホーン（ＣＮ２）の側に位置するように配置されている
ことを特徴とする請求項２に記載のストラップ（ＢＲ）。
【請求項４】
前記光波エミッター（ＥＭ）は、異なる周波数の少なくとも２つの光波源を有する
ことを特徴とする請求項１〜３のいずれかに記載のストラップ（ＢＲ）。
【請求項５】
前記光波ガイド（ＧＯ）は、透明である
ことを特徴とする請求項１〜４のいずれかに記載のストラップ（ＢＲ）。
【請求項６】
前記プリント回路ボード（ＦＬ）は、第１の側方部分（ＰＬ１）と、及びエネルギー源（ＳＥ）とマイクロコントローラ（ＭＣ）を含む部品のアセンブリーとを有し、
前記部品のアセンブリーは、前記第１の側方部分（ＰＬ１）にマウントされ、
前記光波エミッター（ＥＭ）は、前記部品のアセンブリーに電気的に接続されている
ことを特徴とする請求項１〜５のいずれかに記載のストラップ（ＢＲ）。
【請求項７】
前記部品のアセンブリーは、少なくとも１つの押しボタン（ＢＰ）を有する
ことを特徴とする請求項６に記載のストラップ（ＢＲ）。
【請求項８】
前記部品のアセンブリーは、Bluetooth、ＷｉＦｉ又はＮＦＣのタイプの無線通信システムを介して別の電子的な物と通信する通信手段を有する
ことを特徴とする請求項１〜７のいずれかに記載のストラップ（ＢＲ）。
【請求項９】
請求項１〜８のいずれかに記載のストラップ（ＢＲ）と、及び腕時計ケース（ＢＭ）とを有し、
前記ガイド要素（ＧＤ１）は、前記腕時計ケース（ＢＭ）のホーンの対（ＣＮ１、ＣＮ２）の間に配置されており固定されている
ことを特徴とする計時器。
【請求項１０】
前記第１の領域（ＺＮ１）は、不規則的な形状の面を有する
ことを特徴とする請求項９に記載の計時器。
【請求項１１】
前記第１の領域（ＺＮ１）は、サンドブラストされ又は周囲と異なる構造にされている
ことを特徴とする請求項１０に記載の計時器。
【請求項１２】
前記第１の領域（ＺＮ１）は、フレネルレンズの外観を有する
ことを特徴とする請求項９に記載の計時器。
【発明の詳細な説明】
【技術分野】
【０００１】
本発明は、腕時計ケースに取り付けることができる電子ストラップに関する。電子ストラップとは、電子部品を担持する成型されたフレキシブルなプリント回路を有し機能を実行することを可能にするストラップをいい、例えば、当該ストラップが海中の潜水時に着用されているときに周囲圧力を測定するものである。このような電子ストラップがスマートフォンのような電子デバイスと通信することができる場合に、コネクテッドであるという。電子ストラップは、例えば、前記電子デバイスに圧力値を送信する。
【背景技術】
【０００２】
機械式腕時計において、腕時計ケースの本体内に電子部品を搭載することを避けつつ、オンライン腕時計のような電子式腕時計の機能を実行させるために、機械式腕時計のケースに固定する手段を備える電子ストラップが設計されている。電子部品はすべてストラップに搭載され、多くの機能を与える。例えば、このストラップの着用者の身体活動をモニタリングすること、ストラップに取り付けられたスマートフォンにて呼びやメッセージを着信したことを着用者に通知すること、そして、電子デバイスの長距離通話を制御することのような機能である。
【０００３】
この観点から、ストラップ及び／又はストラップが取り付けられている電子デバイスの活動に関連する任意の種類の事象又は状態についてストラップの着用者に通知できるようにすることは重要である。ストラップ及び／又は前記ストラップが取り付けられている電子デバイスの活動に関連する事象又は状態としては、例えば、以下のものが挙げられる。ただし、これらに限定されない。すなわち、ストラップの機能のアクティブ化又は非アクティブ化、ストラップによる機能の進行（例、ストラップのセンサーによって記録される測定）、ストラップと電子デバイスの間のデータ転送の確立又は完了、ストラップと電子デバイスの間のデータ転送の進行、電子デバイスによる呼びやメッセージの着信などである。
【発明の概要】
【発明が解決しようとする課題】
【０００４】
本発明の目的は、前記の必要条件を満たすことである。
【課題を解決するための手段】
【０００５】
このために、本発明は、プリント回路ボードと、前記プリント回路ボード上に配置される挿入体と、光波エミッターとを有する計時器用の電子ストラップに関し、前記挿入体は、腕時計ケースのホーンの対の間に配置され固定されるガイド要素を有し、前記ガイド要素は、光波ガイドを有し、前記光波ガイドは、前記ガイド要素と前記プリント回路ボードの間の境界領域に配置された入力と、前記ガイド要素が前記ホーンの対の間に配置されており固定されているときに、前記腕時計ケースにおける２つのホーンの間にある第１の領域に対向するように配置されている第１の出力と、及び前記入力を前記第１の出力に接続する第１の部分とを有し、前記光波エミッターは、前記光波ガイドの入力のレベルにて前記プリント回路ボード上に設置される。
【０００６】
したがって、光波エミッターが光波を発するときに、光波は、ガイド要素と中央部の間の境界領域に配置された入力を介して光波ガイドに入り込み、第１の部分を介して第１の出力まで伝搬し、最終的に、第１の領域のレベルに導かれる。ここにおいて、光波は反射され、結果的に、ストラップの着用者が光波を見ることができる。
【０００７】
請求項２〜８には、本発明に係る電子ストラップの他の有利な特徴が定められており、これらを単独又は組み合わせて取り入れることができる。
【０００８】
また、本発明は、本発明に係るストラップを有する計時器であって、ガイド要素が、腕時計ケースのホーンの対の間に配置されこのホーンの対に固定されているものに関する。
【０００９】
請求項１０〜１２には、本発明に係る計時器の他の有利な特徴が定められており、これらを単独で又は組み合わせて取り入れることができる。
【００１０】
添付の図面を参照しながら下記の説明を読むことによって（これに限定されない）、他の特徴及び利点がはっきりとわかるであろう。
【図面の簡単な説明】
【００１１】
【図１】プリント回路ボード、挿入体、腕時計ケース及び２つの棒体を含む本発明に係る計時器のいくつかの要素の接続されていない状態の斜視図である。
【図２】プリント回路ボード、挿入体及び腕時計ケースを含む図１の要素の接続されていない状態の斜視図であり、プリント回路ボードに成型された層が加えられている。
【図３】プリント回路ボード、挿入体のガイド要素、腕時計ケース及び棒体を含む図１の要素の斜視図である。
【図４】ガイド要素の光波ガイド及びプリント回路ボードを含む図３の要素の斜視図である。
【図５】ケース中間部に表面処理が施された腕時計ケース、及び図４の光波ガイドとプリント回路ボードの斜視図である。
【発明を実施するための形態】
【００１２】
本発明は、２つの棒体などを介して腕時計ケースに固定された電子ストラップを有する計時器に関する。
【００１３】
図１に、本発明に係る電子ストラップＢＲの要素についての好ましい実施形態を示している。ただし、これに限定されない。この好ましい実施形態によると、電子ストラップＢＲは、カフタイプのものである。ストラップＢＲは、第１の側方部分ＰＬ１によって、全体的に環状であり、ストラップＢＲは、第１の側方部分ＰＬ１から延在する中央部分ＰＭによって、また、中央部分ＰＭから延在する第２の側方部分ＰＬ２によって、一体化された形態で形成されたプリント回路ボードＦＬを有する。これらの側方部分ＰＬ１、ＰＬ２はそれぞれ、ストラップの２つのアームの一方の１つの要素であり、したがって、ストラップのアームはそれぞれ、プリント回路の一部を有する。
【００１４】
図示していない代替実施形態において、ストラップはカフタイプのものではなく、対照的に、２つの別個の部品によって形成される。これらの代替実施形態の第１の代替実施形態において、プリント回路ボードは、２つの別個の部分によって形成される。このプリント回路ボードは、中央部分にはなく、電気的かつ機械的に接続されていない２つの側方部分ＰＬ１、ＰＬ２のみによって形成される。これらの側方部分のそれぞれＰＬ１、ＰＬ２は、ストラップの２つのアームの一方のアームの要素である。したがって、ストラップのアームはそれぞれ、プリント回路の一部を有する。これらの代替実施形態の第２の代替実施形態において、プリント回路ボードは、第１の側方部分ＰＬ１のみを有する。第１の側方部分ＰＬ１は、ストラップの２つのアームの一方のアームの要素である。ストラップの第２のアームは、プリント回路を含まない。
【００１５】
また、ストラップＢＲは、第１の側方部分ＰＬ１、そして、可能性としては、第２の側方部分ＰＬ２がある場合には第２の側方部分ＰＬ２に、マウントされる電気的及び／又は電子的な部品のアセンブリーを有する。当該部品は、例えば、マイクロコントローラＭＣと、電気的なエネルギー源ＳＥ（図３のみにおいて示されている）と、及びBluetooth（登録商標）、ＷｉＦｉ又はＮＦＣなどのタイプの無線インタフェースを介して電子デバイスと通信する通信手段ＣＩとを有する。当該部品は、さらに、一又は複数のセンサーＣＰ及び／又は一又は複数の押しボタンＢＰを有することができる。
【００１６】
図１に示す好ましい実施形態において、すなわち、カフストラップの場合に、ストラップＢＲは、さらに、プリント回路ボードＦＬの中央部分ＰＭに配置されるように意図された挿入体ＩＳを有する。挿入体ＩＳは、剛リングＡＮ及び直径に沿って反対側にある２つのガイド要素ＧＤ１、ＧＤ２を有する。ガイド要素ＧＤ１、ＧＤ２は、側方部分ＰＬ１、ＰＬ２との境界領域において、プリント回路ボードの中央部分ＰＭに配置されるように意図され、前記腕時計ケースＢＭは、前記挿入体ＩＳの上に配置されるように意図され、各ガイド要素ＧＤ１、ＧＤ２は、腕時計ケースＢＭのホーンの対ＣＮ１、ＣＮ２の間に配置される。ガイド要素ＧＤ１、ＧＤ２にはそれぞれ、棒体ＢＴ１、ＢＴ２を通すための穴ＴＲ１、ＴＲ２が形成されている。棒体ＢＴ１、ＢＴ２によって、腕時計ケースのホーンの対を挿入体ＩＳに固定することができる。
【００１７】
また、図２に示すように、ストラップＢＲは、成型された層ＣＭ１、ＣＭ２を有する。これは、例えば、プラスチック又はエラストマー材料によって作られており、これは、当該部品のアセンブリーがプリント回路ボードＦＬの側方部分ＰＬ１、ＰＬ２にマウントされたとき、そして、挿入体ＩＳがプリント回路ボードＦＬの中央部分ＰＭに適切に配置されたときに、取り付けられる。成型された層によって、プリント回路ボードＦＬの側方部分ＰＬ１、ＰＬ２によって担持される部品を保護し、挿入体ＩＳ及びプリント回路ボードＦＬを一体化することができる。このために、成型された層は、２つの部分ＣＭ１、ＣＭ２を有する。その第１の成型された部分ＣＭ１は、プリント回路ボードＦＬの第１の側方部分ＰＬ１と、及び挿入体ＩＳのガイド要素ＧＤ１の１つとをカバーして、ストラップの第１のアームＢＡ１を構成する。第２の成型された部分ＣＭ２は、プリント回路ボードＦＬの第２の側方部分ＰＬ２及び挿入体ＩＳのガイド要素ＧＤ２の他方をカバーして、ストラップＢＡ２の第２のアームを構成する。第１及び第２の代替実施形態において、ストラップは、挿入体の全体を含まず、ガイド要素ＧＤ１、ＧＤ２のみを含む。これらのガイド要素ＧＤ１、ＧＤ２はそれぞれ、ストラップのアームの一方の一部である。第１の代替実施形態において、ガイド要素ＧＤ１、ＧＤ２はそれぞれ、側方部分ＰＬ１、ＰＬ２の外側部分に配置され、そして、腕時計ケースＢＭのホーンの対ＣＮ１、ＣＮ２の間に配置されるように意図されている。成型された部分ＣＭ１、ＣＭ２によって、とりわけ、ガイド要素ＧＤ１、ＧＤ２と側方部分ＰＬ１、ＰＬ２の一体化が可能になる。第２の代替実施形態において、第１のガイド要素ＧＤ１は、第１の側方部分ＰＬ１の端部に配置され、腕時計ケースＢＭのホーンの対ＣＮ１、ＣＮ２の間に配置されるように意図されており、第２のガイド要素ＧＤ２は、ストラップの第２のアームの要素であり、これによって、第２のガイド要素ＧＤ２と、腕時計ケースＢＭの他方のホーンの対との一体化が可能になる。第１の成型された部分ＣＭ１によって、とりわけ、第１のガイド要素ＧＤ１と第１の側方部分ＰＬ１との一体化が可能になる。
【００１８】
図３及び４に示すように、本発明に係るストラップＢＲには、以下のような特徴がある。すなわち、ホーンの対ＣＮ１、ＣＮ２の一方のホーンに固定された又は固定されるように意図された第１のガイド要素ＧＤ１は、光波ガイドＧＯを有し、プリント回路ボードＦＬは、当該部品のアセンブリーに電気的に接続された光波エミッターＥＭを担持し、この光波エミッターＥＭは、光波ガイドＧＯの入力ＥＮに対向するように配置される。好ましい実施形態において、光波ガイドＧＯは、プラスチック又は他の透明材料によって形成される。第１のガイド要素ＧＤ１における光波ガイドＧＯの位置によって、計時器の審美性に影響しないように目立たないようにすることが可能になる。
【００１９】
図３の実施形態（これに限定されない）において、光波ガイドＧＯは、２つの出力ＳＯ１、ＳＯ２と、及び入力ＥＮを各出力ＳＯ１、ＳＯ２に接続する２つの部分ＰＯ１、ＰＯ２とを有する。しかし、光波ガイドＧＯは、１つの出力及びこの出力に入力を接続する部分を１つのみ有したり、３つ以上の出力及び出力と同数の部分を有したりすることもできる。また、光波ガイドＧＯは、複数の入力を有することもできる。このとき、ガイドは、各入力を各出力に接続するために必要な数の部分を有する。この場合、中央部分ＰＭは、入力と同数の光波のエミッターを担持し、各エミッターは、光波ガイドＧＯの入力に対向するように配置されるように意図されている。
【００２０】
第１の出力ＳＯ１と第２の出力ＳＯ２は、腕時計ケースＢＡのケース中間部ＣＡにおける２つのホーンＣＮ１、ＣＮ２の間の部分に対向するように配置される。したがって、光波エミッターＥＭによって発される光波は、ケース中間部ＣＡの部分の方にガイドされ向けられ、この部分では、この光波を計時器の着用者が見ることができる。光波は、図３に示すケース中間部ＣＡの部分上に２つの光ハローＨＬ１、ＨＬ２を形成する。第１の光ハローＨＬ１は、ケース中間部ＣＡの第１の領域ＺＮ１のレベルにおける部分にて見ることができ、この第１の領域ＺＮ１は、光波ガイドＧＯの第１の出力ＳＯ１に対向している。第２の光ハローＨＬ２は、ケース中間部ＣＡの第２の領域ＺＮ２のレベルにおける部分にて見ることができ、この第２の領域ＺＮ２は、光波ガイドＧＯの第２の出力ＳＯ２に対向している。
【００２１】
もちろん、光波ガイドＧＯが１つのみの出力を有する場合、１つのみの光ハローを見ることができる。一方のホーンから他方のホーンまで及ぶ長い光ハローを想到することができる。１つのホーンの側に位置しているハロー、そして、２つのホーンから実質的に等しい距離に位置しているハローも同様に想到することができる。光波ガイドが３以上の出力を有する場合、出力と同数の光ハローが出現する。また、ハローの形が出力の形に依存することを理解することができるであろう。
【００２２】
図示した例において、第１の出力ＳＯ１が第１のホーンＣＮ１の側に配置され、第２の出力ＳＯ２か第２のホーンＣＮ２の側に配置されることがわかる。必須ではないが、光波ガイドＧＯの出力ＳＯ１、ＳＯ２を、腕時計ケースのホーンＣＮ１の近くに配置することは有利であり、そのケース中間部ＣＡの部分が曲げられる。実際に、この場合、ケース中間部ＣＡの部分の間の空間は、ホーンＣＮ１、ＣＮ２の間の等しい距離の位置にて最小となり、ホーンＣＮ１、ＣＮ２の近くで最大となる。さて、光波ガイドＧＯの出力をケース中間部ＣＡの前記部分の近くにしすぎると、光波ガイドによってガイドされた光波の可視性を害することがある。なぜなら、ケース中間部ＣＡの前記部分上の光ハローが、ガイド要素ＥＧ１によって不明瞭になることがあるからである。もちろん、これらの考察は、正方形や長方形の腕時計ケースには当てはまらない。なぜなら、ストラップは、その幅全体にわたって、ケース中間部の前記部分から等距離であるからである。
【００２３】
さらに、同様な強度の光ハローＨＬ１、ＨＬ２を得るために、光波ガイドＧＯの入力ＥＮを、第１の出力ＳＯ１及び第２の出力ＳＯ２から実質的に等しい距離に配置することが有利である。この場合、光波ガイドＧＯは、全体的にＶ字形となっている。しかし、光波ガイドＧＯの空間がずっと制限されるので、光波ガイドＧＯの様々な異なる構成を想到することができる。
【００２４】
さらに、光波エミッターＥＭは、少なくとも１つの光波の点状光源を有する。例えば、エレクトロルミネセンスダイオードである。好ましいことに、光波エミッターＥＭは、互いに近くにあり異なる周波数、すなわち、異なる色で、光波を発することができるいくつかの点状光源を有する。したがって、点状光源は、計時器の着用者に与えられた情報に応じて特定の色の光ハローを作るように消光又は発光することができる。もちろん、前記点状光源の少なくとも１つは、計時器の着用者に与えられる情報に対応する時系列に応じて、同様に発光することができる。
【００２５】
光波エミッターＥＭが電気的及び／又は電子的な部品のアセンブリーに電気的に接続されているので、光波エミッターＥＭの前記少なくとも１つの点状光源は、ストラップ又はストラップが取り付けられている電子デバイスの活動に関連する事象又は状態に応じてアクティブ化することができる。例えば、押しボタンＢＰが押されたとき、電子デバイスがメッセージを受信したとき、又はストラップＢＲと電子デバイスの間でデータが転送されたときに、点状光源をアクティブ化させることができる。
【００２６】
ケース中間部ＣＡの部分上への光の反射を変更して、計時器の着用者から見えるハローＨＬ１、ＨＬ２の光形及び／又は強度を変更するために、領域ＺＮ１、ＺＮ２に表面処理を施すことができる。図５に、表面処理の例を示している。この例において、領域ＺＮ１、ＺＮ２のレベルにおける空洞によって同心のリングが作られ、フレネルレンズ効果を発生させる。また、光の拡散を向上させるような異なる効果を発生させるために又はロゴのようなモチーフを強調するために、レーザー又は他の手段によって微構造加工をすることも想到することができる。また、領域ＺＮ１、ＺＮ２にサンドブラスト（すなわち、加圧された砂の投射）を行って、領域ＺＮ１、ＺＮ２を不規則な領域にすることができる。この場合、ハローＨＬ１、ＨＬ２の明るさは落ちるが、広範囲になり、したがって、審美性が向上する。
【００２７】
もちろん、本発明は、図示した例に制限されず、当業者に明白な様々な変形態様があり改変を行うことができる。
【符号の説明】
【００２８】
ＢＭ  腕時計ケース
ＢＰ  押しボタン
ＢＲ  ストラップ
ＣＮ１、ＣＮ２  ホーン
ＥＧ１  ガイド要素
ＥＭ  光波エミッター
ＥＮ  入力
ＦＬ  プリント回路ボード
ＧＤ１  ガイド要素
ＧＯ  光波ガイド
ＩＳ  挿入体
ＭＣ  マイクロコントローラ
ＰＬ１  第１の側方部分
ＰＯ１  第１の部分
ＰＯ２  第２の部分
ＳＥ  エネルギー源
ＳＯ１  第１の出力
ＳＯ２  第２の出力
ＺＮ１  第１の領域
ＺＮ２  第２の領域
【図１】
2018066737.tif 000003
【図２】
2018066737.tif 000004
【図３】
2018066737.tif 000005
【図４】
2018066737.tif 000006
【図５】
2018066737.tif 000007